(57)【特許請求の範囲】
【請求項１】
潜熱回収型熱源機の熱交換器で発生する酸性のドレンを中和するためのドレン中和装置であって、
上記ドレンを一時的に貯留して中和剤により中和させる中和容器と、
上記中和容器内のドレンに殺菌性金属イオンを供給する供給手段とを備え、
上記供給手段は、
上流側から水を導き入れて下流端を中和容器に接続する導水管と、
上記導水管内を通水状態又は通水遮断状態とする開閉弁と、
上記導水管に設けた一対の電極を有し、この電極から電気分解により溶出する殺菌性金属イオンを導水管内に流れる水に溶解させて殺菌性金属イオン水を生成する金属イオン発生器と、
上記導水管から上記中和容器内に上記殺菌性金属イオン水を供給するため上記開閉弁及び上記金属イオン発生器を動作制御する供給制御手段とを備えるドレン中和装置。
【請求項２】
請求項１に記載のドレン中和装置において、
上記供給手段は、上記中和容器における未処理のドレンの流入位置よりも下流部分から殺菌性金属イオンを供給する構成とするドレン中和装置。
【請求項３】
請求項１又は２に記載のドレン中和装置において、
上記潜熱回収型熱源機は、バーナの燃焼による燃焼ガスで熱交換器を加熱するものであり、
上記供給手段は、バーナの燃焼量に応じて燃焼運転毎に殺菌性金属イオンを中和容器内のドレンに供給するドレン中和装置。
【請求項４】
請求項１乃至３のいずれかに記載のドレン中和装置において、
上記潜熱回収型熱源機は、バーナの燃焼による燃焼ガスで熱交換器を加熱するものであり、
上記供給手段は、バーナの非燃焼状態のインターバル時間毎に殺菌性金属イオンを中和容器内のドレンに供給するドレン中和装置。
【発明の詳細な説明】
【技術分野】
【０００１】
本発明は、潜熱回収型熱源機で発生する酸性のドレンを中和するためのドレン中和装置に関するものである。
【背景技術】
【０００２】
潜熱回収型熱源機の一例として、潜熱回収型給湯装置は、燃焼ガスから顕熱を回収する主熱交換器と、燃焼ガスから潜熱を回収する副熱交換器とを備えている。上記副熱交換器では、潜熱を回収するときに燃焼ガス中のＮＯＸ、ＳＯＸ等による硝酸や硫酸を含む強酸性のドレンを発生させる。そのため、副熱交換器からのドレンの排出経路に粒状の中和剤を充填した中和容器を備えるドレン中和装置を設けてドレンを中和処理して排水するようにしている。
【特許文献１】特開２００２−１９２１６５号公報
【発明の開示】
【発明が解決しようとする課題】
【０００３】
ところで、基質と水が存在する場所では、細菌が増殖すると細菌自身が多糖体を主成分とする構造体を産生し、これが膜状のバイオフィルムやゲル状の粘性物等を形成することが知られている。身近な例として洗面や台所の配管内等のヌメリが挙げられる。
【０００４】
上記ドレン中和装置の中和容器内においてもその配置場所等の条件により、中和容器内の各部に付着した細菌が増殖して中和剤の粒間にバイオフィルムが形成されたり粘性物が蓄積されることがある。すると、このバイオフィルム等により中和容器内が詰まってしまい、その結果、ドレンが排出できなくなったり、ドレンが副熱交換器側へ逆流したり、時にはドレン水位の異常上昇により給湯装置がエラー停止する等の不具合を起こすおそれがあった。
【０００５】
本発明は、上記事情に鑑みてなされたものであり、中和容器内での細菌の増殖を抑制してバイオフィルム等が形成されることがないドレン中和装置を提供することを課題とする。
【課題を解決するための手段】
【０００６】
本発明に係るドレン中和装置は、
潜熱回収型熱源機の熱交換器で発生する酸性のドレンを中和するためのドレン中和装置であって、
上記ドレンを一時的に貯留して中和剤により中和させる中和容器と、
上記中和容器内のドレンに殺菌性金属イオンを供給する供給手段とを備え、
上記供給手段は、
上流側から水を導き入れて下流端を中和容器に接続する導水管と、
上記導水管内を通水状態又は通水遮断状態とする開閉弁と、
上記導水管に設けた一対の電極を有し、この電極から電気分解により溶出する殺菌性金属イオンを導水管内に流れる水に溶解させて殺菌性金属イオン水を生成する金属イオン発生器と、
上記導水管から上記中和容器内に上記殺菌性金属イオン水を供給するため上記開閉弁及び上記金属イオン発生器を動作制御する供給制御手段とを備えるものである。
【０００７】
これにより、中和容器内に貯留するドレンに殺菌性金属イオン水を混合することで、ドレンが媒体となって中和容器内に殺菌性金属イオンを拡散させることができる。従って、殺菌性金属イオンによって中和容器内が殺菌されて中和容器内での細菌の増殖を抑制することができる。
【０００９】
上記供給手段は、上記中和容器におけるドレンの流入位置よりも下流部分から殺菌性金属イオンを供給する構成とするのが好ましい。
これにより、殺菌性金属イオンが未だ中和処理の進んでいない酸性度の高いドレンに含む酸性物質と反応し得るのを回避して、上記殺菌性金属イオンを高濃度のまま中和容器内に拡散させることができる。その結果、殺菌性金属イオンによって中和容器内が殺菌されて中和容器内での細菌の増殖を確実に抑制することができる。
【００１０】
上記潜熱回収型熱源機は、バーナの燃焼による燃焼ガスで熱交換器を加熱するものであり、
上記供給手段は、バーナの燃焼量に応じて燃焼運転毎に殺菌性金属イオンを中和容器内に供給するものでもよい。
これにより、ドレンの発生量は熱源機における燃焼量に比例するため、ドレンの実際の発生量に見合った必要量の殺菌性金属イオンを中和容器内に供給することができる。従って、中和容器内に貯留するドレンの殺菌性金属イオン濃度を一定濃度以上に維持することができる。その結果、殺菌性金属イオンによって中和容器内が殺菌されて中和容器内での細菌の増殖を確実に抑制することができる。
【００１１】
上記潜熱回収型熱源機は、バーナの燃焼による燃焼ガスで熱交換器を加熱するものであり、
上記供給手段は、バーナの非燃焼状態のインターバル時間毎に殺菌性金属イオンを中和容器内に供給するものでもよい。
これにより、中和容器内に貯留するドレンの殺菌性金属イオン濃度が時間経過に伴って低下し得るが、殺菌性金属イオンの供給されない状態が長い期間継続することがない。従って、中和容器内のドレンの殺菌性金属イオン濃度を確実に一定濃度以上に維持することができる。その結果、殺菌性金属イオンによって中和容器内が殺菌されて中和容器内での細菌の増殖を確実に抑制することができる。
【発明の効果】
【００１２】
以上のように、本発明によれば、殺菌性金属イオンにより中和容器内での細菌の増殖が抑制されるので、中和容器内に細菌の増殖によるバイオフィルムや粘性物等が形成されることが防止される。従って、このバイオフィルム等によって中和容器内が詰まるといった不具合を起こすことがなく、ドレンの排出を良好に行うことができる。よって、ドレンが熱交換器側へ逆流したり、ドレン水位の異常上昇により熱源機がエラー停止する等の不具合を起こすこともない。
【発明を実施するための最良の形態】
【００１３】
以下に、本発明の実施の形態について添付図面を参照しながら説明する。
（実施形態１）
図１には、実施形態１のドレン中和装置２を備える潜熱回収型の給湯装置（潜熱回収型熱源機）１０を示す。この給湯装置１０は、バーナ１１ａを備える燃焼室１１の上方に、缶体１２内に収容する主熱交換器１２ａと、ケーシング１３内に収容する副熱交換器１３ａとを備える。燃焼室１１の下端には、給気ファン１７が連設され、この給気ファン１７によりバーナ１１ａの燃焼ガスは、主熱交換器１２ａ、副熱交換器１３ａを通ってケーシング１３に連通する排気口１４から外部へ排気される。そして、給水管４１に給水された水は、副熱交換器１３ａの吸熱管４２に供給されて燃焼ガスから主に潜熱を吸収し熱交換加熱された後、連結管４３を通って主熱交換器１２ａの吸熱管４４に供給されて燃焼ガスから主に顕熱を吸収し熱交換加熱され、高温の湯となって出湯管４５を通して出湯される。
【００１４】
一方、副熱交換器１３ａでは、潜熱を回収するときに燃焼ガス中の水蒸気が結露して、燃焼ガス中のＮＯＸ、ＳＯＸ等による硝酸や硫酸を含む強酸性のドレンを発生させる。そのため、副熱交換器１３ａには、そこで発生したドレンを集めるドレン受け部１５がケーシング１３の底部に設けられ、このドレン受け部１５に接続されたドレン排出管４６が強酸性のドレンを中和するためのドレン中和装置２に接続されている。
【００１５】
ドレン中和装置２は、ドレンを一時的に貯留して中和剤３５により中和させるための中和容器３と、中和容器３内に殺菌性金属イオン水として銀イオン水を供給する銀イオン供給部（供給手段）５とを備える。
【００１６】
中和容器３は、未処理のドレンを受け入れるためのドレン入口３１と、処理済のドレンを排出するためのドレン出口３２とを有し、ドレン入口３１にはドレン排出管４６の下流端が接続され、ドレン出口３２には排水管４７が接続されている。また、中和容器３内は、間仕切り３３ａ，３３ｂによりジグザグに連通する複数の小室３４Ａ，３４Ｂ，３４Ｃが形成されており、各小室３４Ａ，３４Ｂ，３４Ｃには、中和剤３５として、例えば粒状の炭酸カルシウム（例えば、白色石灰石）が充填されている。
【００１７】
図１に示す中和容器３の内部は、天井から垂下した第１の間仕切り３３ａと、底面から立設した第２の間仕切り３３ｂとが設けられ、第１の間仕切り３３ａと中和容器３の側壁とで囲まれた第１の小室３４Ａと、第１の間仕切り３３ａと第２の間仕切り３３ｂの間に形成された第２の小室３４Ｂと、第２の間仕切り３３ｂと中和容器３の側壁とで囲まれた第３の小室３４Ｃとに区画されている。第１の間仕切り３３ａと底面との間、第２の間仕切り３３ｂと天井との間には、それぞれ連通空間３６ａ，３６ｂが設けられ、各小室３４Ａ，３４Ｂ，３４Ｃが連通されている。これらの小室３４Ａ，３４Ｂ，３４Ｃによってドレン流通経路が形成される。そして、第１の小室３４Ａの天井には、ドレン入口３１が設けられてドレン排出管４６が接続されており、第３の小室３４Ｃの側壁の上部には、ドレン出口３２が設けられて排水管４７が接続されている。従って、ドレンは、ドレン排出管４６より第１の小室３４Ａにその天井のドレン入口３１から供給され、この第１の小室３４Ａの下方の連通空間３６ａを通って第２の小室３４Ｂに流れ込み、次いで、第２の小室３４Ｂの上方の連通空間３６ｂを通って第３の小室３４Ｃに流れ込み、そして、第３の小室３４Ｃの上部のドレン出口３２から排水管４７に排水される。このようにして、ドレンは、各小室３４Ａ，３４Ｂ，３４Ｃをジグザクに流れているうちに各小室３４Ａ，３４Ｂ，３４Ｃ内に充填された中和剤３５によって確実に中和される。なお、小室の数は、上記３室に限らず複数設けるようにしてよい。
【００１８】
銀イオン供給部５は、給水管４１から分岐して中和容器３に接続される導水管７と、導水管７内を通水又は遮断の状態とする開閉弁８と、導水管７において開閉弁８の下流位置に設けられた銀イオン発生器（金属イオン発生器）６と、開閉弁８及び銀イオン発生器６を動作制御する銀イオン供給制御部（供給制御手段）９とにより構成されている。
【００１９】
導水管７は、殺菌作用のある銀イオンを含む銀イオン水を中和容器３内に供給するための配管である。この導水管７は、中和容器３に対してドレン排出管４６とは別の位置に接続されている。中でも、導水管７は、ドレン排出管４６が接続された小室３４Ａとは別の小室３４Ｂ，３４Ｃのうちドレン流通経路の上流位置の小室３４Ｂに接続されるのが好ましい。これにより、導水管７から供給される銀イオン水に含む銀イオンが、未だ中和処理の進んでいない酸性度の高いドレンに含む酸性物質と反応して塩（例えば、硝酸銀、硫酸銀など）となり得るのを回避して、上記銀イオンを中和容器３内のドレンに拡散させることができる。例えば、図１のドレン中和装置２では、導水管７は中和容器３の第２の小室３４Ｂの天井に接続されている。従って、第２の小室３４Ｂに供給される銀イオン水に含む銀イオンは、第１の小室３４Ａの酸性度の高いドレンに含む酸性物質との接触が回避され、中和容器３内のドレンに拡散される。
【００２０】
開閉弁８は、例えば、定流量弁付の電磁式開閉弁などが用いられ、これにより、導水管７内に通水される水の流量を一定に保つことができる。なお、開閉弁８は、開度を小さく開弁して小流量（例えば、５ｃｃ／分）の水が通水されるようにするのが好ましい。これにより、中和容器３内に勢いよく銀イオン水が投入されることが防止され、銀イオン水の投入により中和容器３内の中和剤３５が流動して偏ってドレンの中和性能に悪影響を及ぼすようなことが防止される。
【００２１】
図２をも参照して、銀イオン発生器６は、導水管７に取り付けられた筒体６０と、筒体６０内に配設された一対の銀電極６１ａ，６１ｂと、一対の銀電極６１ａ，６１ｂ間の通電を制御する通電制御部６２とを備える。そして、この銀イオン発生器６により、銀電極６１ａ，６１ｂに通電することで銀電極６１ａ，６１ｂの電気分解により銀イオンが溶出して筒体６０内を流れる水に溶解される。これにより、導水管７を流れる水は、銀イオン発生器６により銀イオンが溶解された銀イオン水となって中和容器３内に供給される。この銀イオン水の銀イオン濃度は、導水管７に通水される水の流量と、銀電極６１ａから溶出される銀イオンの溶出量によって決定される。このとき、導水管７の水の流量は、開閉弁８の開度によって設定される。また、銀電極６１ａからの銀イオンの溶出量は、銀電極６１ａ，６１ｂに通電する電流値によって設定され、この電流値は通電制御部６２によって設定される。従って、上記開閉弁８を定流量弁とすることで導水管７内を流れる水の流量を一定に保つことができるので、通電制御部６２により銀電極６１ａ，６１ｂに一定の電流が流れるように制御することで中和容器３内に供給する銀イオン水の銀イオン濃度を一定に維持することができる。なお、上記通電制御部６２により一対の銀電極６１ａ，６１ｂの極性を定期的に反転させて、銀イオンの溶出に伴う各銀電極６１ａ，６１ｂの消耗を均等にするようにしてもよい。また、この銀イオン発生器６は、強酸性のドレンが流されるドレン排出管４６とは別経路である導水管７に設けられているので、その銀電極６１ａ，６１ｂはドレンに含まれている硝酸や硫酸等の酸と接触することがなく、銀イオンの発生性能が劣化されることもない。
【００２２】
そして、このドレン中和装置２は、銀イオン供給制御部９により開閉弁８と銀イオン発生器６を制御して、高濃度の銀イオン水を生成しその銀イオン水を、バーナ１１ａの燃焼量に応じて中和容器３内に供給し、中和容器３内のドレンの銀イオン濃度が確実に所定濃度以上となるようにされる。具体的に、銀イオン供給制御部９は、給湯装置１０の燃焼制御部１６を監視してバーナ１１ａの燃焼量（例えば、燃料ガスの供給量から換算）の積算値を求める。次いで、この積算燃焼量が設定燃焼量となる毎に、開閉弁８を開弁すると共に銀イオン発生器６の銀電極６１ａ，６１ｂに通電して銀イオンを発生させ、所定の銀イオン濃度の銀イオン水を上記積算燃焼量に応じた一定量だけ中和容器３内に供給する。これにより、給湯装置１０の燃焼量に応じて所定量のドレンが発生するから、このドレンの発生量に見合った銀イオン水を供給することで中和容器３内のドレンの銀イオン濃度を所定濃度以上に保つことができる。
【００２３】
例えば、給湯装置１０において燃焼量７５０ｋｃａｌ／分で最大４５ｃｃのドレンが発生する場合に、中和容器３内のドレンを１００ｐｐｂ以上の銀イオン濃度に確保するためには、銀イオン濃度１０００ｐｐｂ以上の銀イオン水を５ｃｃ生成して中和容器３内に供給する必要がある。従って、この場合、バーナ１１ａの積算燃焼量が設定燃焼量として例えば７５００ｋｃａｌ／分となる毎に、銀イオン濃度１０００ｐｐｂ以上の銀イオン水を５０ｃｃ生成して中和容器３内に供給することにより、中和容器３内のドレンを１００ｐｐｂ以上の銀イオン濃度に確保することができる。
【００２４】
また、銀イオン供給制御部９には、インターバル時間が設定されている。すなわち、前回に銀イオン水を供給してからこのインターバル時間が経過すると、開閉弁８を開弁すると共に銀イオン発生器６の銀電極６１ａ，６１ｂに所定の電流値で通電して銀イオンを発生させて、所定の銀イオン濃度の銀イオン水を一定量だけ中和容器３内に供給する。これにより、時間経過に伴って中和容器３内のドレン中の銀イオンがドレンの酸性成分や中和剤３５等と反応して減少していっても、定期的に銀イオン水を補給することで中和容器３内のドレンの銀イオン濃度を確実に所定濃度以上に保つことができる。しかも、銀イオン水を補給することで中和容器３内のドレンが長期間滞留状態となることが防止されて細菌の増殖を抑制することができる。例えば、インターバル時間として３日間経過しても、給湯装置１０で燃焼運転されず中和容器３内に銀イオン水の供給が行われなかった場合に、開閉弁８及び銀イオン発生器６を動作させて、例えば、中和容器３のドレン貯留量が約１リットルとした場合、銀イオン濃度１０００ｐｐｂ以上の銀イオン水を１００ｃｃだけ生成して中和容器３内に補給する。これにより、中和容器３内のドレンの銀イオン濃度が時間経過によって低下することが防止される。
【００２５】
以上より、実施形態１のドレン中和装置２によれば、中和容器３内に銀イオン水を供給することで中和容器３内に貯留するドレンが媒体となって中和容器３内に銀イオンを拡散させることができる。すなわち、中和容器３内は、所定濃度以上の銀イオンを含むドレンで満たされるため、この銀イオンの殺菌作用によって中和容器３内が殺菌されて中和容器３内での細菌の増殖が抑制される。従って、中和容器３内に細菌の増殖によるバイオフィルムや粘性物等が形成されることが防止される。その結果、細菌の増殖によるバイオフィルム等によって中和容器３内が詰まるような不具合を起こすことがなく、ドレンの排出を良好に行うことができる。よって、ドレンがドレン排出管４６を逆流したり、ドレン水位の異常上昇により給湯装置１０がエラー停止する等の不具合を起こすこともない。
【００２６】
（参考例）
図３に示すように、参考例のドレン中和装置２では、中和容器３に銀イオン発生器６が設けられ、銀イオン供給部５として、この銀イオン発生器６と、銀イオン供給制御部９とにより構成されている。銀イオン発生器６は、中和容器３内に配設された一対の銀電極６１ａ，６１ｂと、一対の銀電極６１ａ，６１ｂ間の通電を制御する通電制御部６２とを備える（図２参照）。そして、この銀イオン発生器６により、銀電極６１ａ，６１ｂに通電することで銀電極６１ａ，６１ｂの電気分解により銀電極６１ａ，６１ｂの陽極側から溶出された銀イオンが中和容器３内のドレン中に混入される。中和容器３内のドレンの銀イオン濃度は、中和容器３内に貯留されるドレンの貯留量と、銀電極６１ａ，６１ｂの陽極側から溶出される銀イオンの溶出量によって決定される。このとき、銀電極６１ａ，６１ｂの陽極側から溶出される銀イオンの溶出量は、銀電極６１ａ，６１ｂに通電する電流値によって設定され、この電流値は通電制御部６２によって設定される。
【００２７】
また、一対の銀電極６１ａ，６１ｂは、中和容器３内のドレンの流通経路の下流部分に配置されており、中でも、銀電極６１ａ，６１ｂは、ほぼ中和処理が完了されているドレン流通経路の最下流位置に取り付けられるのが好ましい。これにより、銀電極６１ａ，６１ｂから溶出される銀イオンが未だ中和処理の進んでいない酸性度の高いドレンに含む酸性成分と反応して塩（例えば、硝酸銀、硫酸銀など）となり得るのを回避して、上記銀イオンを中和容器３内のドレンに拡散させることができる。
【００２８】
例えば、図３に示すものでは、銀電極６１ａ，６１ｂは、ドレン流通経路の最下流部分である第３の小室３４Ｃに設置され、且つこの第３の小室３４Ｃの天井部分に取り付けられてこの第３の小室３４Ｃ内に貯留されたドレンに浸されている。従って、銀電極６１ａ，６１ｂは、強酸性のドレンに晒されることなく銀イオンを安定して発生することができる。しかも、第３の小室３４Ｃで銀電極６１ａ，６１ｂから電気分解される銀イオンは、第１の小室３４Ａの酸性度の高いドレンに含む酸性成分との接触が回避され、中和容器３内のドレンに拡散される。
【００２９】
そして、このドレン中和装置２は、銀イオン供給制御部９により銀イオン発生器６を制御して、給湯装置１０でのバーナ１１ａの燃焼量に応じて中和容器３内のドレンに銀イオンを混入させ、中和容器３内のドレンの銀イオン濃度が確実に所定濃度以上となるようにされる。具体的に、銀イオン供給制御部９は、給湯装置１０の燃焼制御部１６を監視してバーナ１１ａの燃焼開始と共に銀電極６１ａ，６１ｂに通電し、瞬時のバーナ１１ａ燃焼量（例えば、燃料ガスの供給量から換算）に応じて、必要量の銀イオンを発生させ中和容器３内のドレンに供給する。これにより、給湯装置１０の燃焼量に応じて所定量のドレンが発生するから、このドレン発生量に見合った必要量の銀イオンを発生させることにより、中和容器３内のドレンの銀イオン濃度を所定濃度以上に保つことができる。
【００３０】
例えば、給湯装置１０において燃焼量７５０ｋｃａｌ／分で最大５０ｃｃのドレンが発生する場合に、中和容器３内のドレンを１００ｐｐｂ以上の銀イオン濃度に確保するためには、ドレン５０ｃｃ当たり銀イオン濃度１００ｐｐｂ以上の溶出量となる銀イオンを発生させるように銀電極６１ａ，６１ｂに所定の電流値を通電する。これにより、中和容器３内のドレンを１００ｐｐｂ以上の銀イオン濃度に確保することができる。
【００３１】
また、銀イオン供給制御部９には、インターバル時間が設定されている。すなわち、前回に銀イオンを発生させてからこのインターバル時間が経過すると、銀イオン発生器６の銀電極６１ａ，６１ｂに所定の電流値で通電して、所定量の銀イオンを発生させ中和容器３内のドレンに供給する。これにより、時間経過に伴って中和容器３内のドレン中の銀イオンがドレンの酸性成分や中和剤３５等と反応して減少していっても、定期的に銀イオンを補給することで中和容器３内のドレンの銀イオン濃度を確実に所定濃度以上に保つことができる。例えば、インターバル時間として３日間経過しても、給湯装置１０で燃焼運転されず中和容器３内に銀イオンの供給が行われなかった場合に、銀イオン発生器６を動作させて、例えば、中和容器３のドレン貯留量が約１リットルとした場合、ドレン１００ｃｃ当たり銀イオン濃度１０００ｐｐｂ以上の溶出量の銀イオンを発生させて中和容器３内に補給する。これにより、中和容器３内のドレンの銀イオン濃度が時間経過によって低下することが防止される。
【００３２】
以上より、参考例のドレン中和装置２によれば、中和容器３内に貯留するドレンに銀イオンを混入することでこのドレンが媒体となって中和容器３内に銀イオンを拡散させることができる。すなわち、中和容器３内は、所定濃度以上の銀イオンを含むドレンで満たされるため、この銀イオンの殺菌作用によって中和容器３内が殺菌されて中和容器３内での細菌の増殖が抑制される。従って、中和容器３内に細菌の増殖によるバイオフィルムや粘性物等が形成されることが防止される。その結果、細菌の増殖によるバイオフィルム等によって中和容器３内が詰まるような不具合を起こすことがなく、ドレンの排出を良好に行うことができる。よって、ドレンがドレン排出管４６を逆流したり、ドレン水位の異常上昇により給湯装置１０がエラー停止する等の不具合を起こすこともない。
この参考例におけるその他の内容は、上記実施の形態１と同様である。
【００３３】
なお、本発明は、上記実施形態のみに限定されず、本発明の範囲内で種々の変更を施すことが可能である。
例えば、殺菌性金属イオンとしては、上述の銀イオンに限らず、銅イオン、亜鉛イオン、コバルトイオン等の殺菌作用を発揮する金属イオンであればよい。この場合、金属イオン発生器の電極として当該金属イオンの金属材料よりなる電極を用いればよい。
【図面の簡単な説明】
【００３４】
【図１】実施形態１によるドレン中和装置を備えた潜熱回収型給湯装置の構成を示す概略構成図である。
【図２】銀イオン発生器の要部構成を示すブロック図である。
【図３】参考例によるドレン中和装置を備えた潜熱回収型給湯装置の構成を示す概略構成図である。
【符号の説明】
【００３５】
２  ドレン中和装置
３  中和容器
５  銀イオン供給部（供給手段）
６  銀イオン発生器（金属イオン発生器）
７  導水管
８  開閉弁
９  銀イオン供給制御部（供給制御手段）
１０  潜熱回収型給湯装置（潜熱回収型熱源機）
１１ａ  バーナ
１２ａ  主熱交換器
１３ａ  副熱交換器
３５  中和剤
６１ａ，６１ｂ  銀電極
【図１】
0004965514.tif 000002
【図２】
0004965514.tif 000003
【図３】
0004965514.tif 000004